(57)【特許請求の範囲】
【請求項１】
絶縁ハウジング（２）と、絶縁ハウジング（２）に所定のピッチで横並びにされた複数の端子（３、３３）と、絶縁ハウジング（２）に挿入された平型柔軟ケーブル（５）の接点パッド（５ａ）と端子（３、３３）の接点（１０）を所定の接圧で圧接、係合させるためのアクチュエータ（４）とで構成されて、平型柔軟ケーブル（５）が絶縁ハウジング（２）の前部の挿入口（６）から挿入口(６)の後方に配置された前記端子（３、３３）の接点（１０）に向けて略水平に挿入して、接点（１０）と接点パッド（５ａ）が対向するように構成された電気コネクタ（１、３１）において、
前記端子(３、３３)に、前記挿入口(６)に向かって前方に略水平となって片持ち梁状に延びて弾性変形が可能の係合片(１２)が設けられ、この係合片(１２)の先端に形成した略水平の係合部分(１４)が、前記アクチュエータ(４)の基端部に形成された窓孔(１５)に挿入され、係合部分(１４)の下側に窓孔(１５)の孔縁部に形成したカム軸(１６)が配置されて、アクチュエータ(４)の回動のための軸支部が構成されていると共に、
アクチュエータ(４)は、絶縁ハウジング(２)上で起立した第１位置と、この第１位置より後方に回動させて、前記接点パッド(５ａ)と接点(１０)が圧接、係合する位置より後方へ延びて絶縁ハウジング(２)上で伏せた状態の第２位置の間で回動できるようにされており、
前記係合片（１２）の先端の係合部分（１４）が略水平の下縁を有していると共に、前記カム軸（１６）が、長軸（Ｌ１）と短軸（Ｌ２）を有する断面長円形状とされ、
アクチュエータ（４）が前記第１位置に回動した時、カム軸（１６）はその長軸（Ｌ１）が略水平となって前記係合部分（１４）の略水平の下縁と係合して、平型柔軟ケーブル（５）が挿入口（６）より前記カム軸（１６）と端子（３、３３）の接点（１０）の間に挿入可能とされ、また、アクチュエータ（４）が前記第２位置に回動した時、カム軸（１６）は係合片（１２）を弾性変形させながらその長軸（Ｌ１）が垂直の状態を越えて係合片（１２）の反力がアクチュエータ（４）を第２位置に向かう方向に付勢する位置までアクチュエータ（４）と共に回動して位置を変え、そして、係合片（１２）の反力がカム軸（１６）を介して平型柔軟ケーブル（５）を端子（３、３３）の接点（１０）に押圧するようにしたことを特徴とする電気コネクタ。
【請求項２】
前記アクチュエータ（４）が第２位置に位置した時のカム軸（１６）の作用長さ（Ｄ）に対して、アクチュエータ（４）が第1位置にある時の作用長さ（Ｌ２）が短くされている請求項１に記載の電気コネクタ。
【発明の詳細な説明】
【０００１】
【発明の属する技術分野】
この発明は、通常、ＦＰＣ、ＦＦＣなどと呼ばれている平形柔軟ケーブル（以下、単に「ＦＰＣ」ともいう）を接続できるようにした電気コネクタに関する。
【０００２】
【従来の技術】
従来、この種の電気コネクタは、絶縁ハウジングと、絶縁ハウジングに所定のピッチで横並びに装着された複数の端子と、絶縁ハウジングに挿入されたＦＰＣの接点パッドと端子の接点を所定の接圧で圧接、係合させるためのアクチュエータとで構成されている。ＦＰＣは絶縁ハウジングの前部の挿入口から後方に向けて挿入されるようにしているものが多い。
【０００３】
図１５は、ＦＰＣを絶縁ハウジングの前部（図の左方）から後方（図の右方）に向けて挿入するようにした電気コネクタの一つの例で、特許公開２０００−１０６２３８号公報で開示されているものである。図において３００が絶縁ハウジング、３０１が端子、３０２がアクチュエータ、３０３がＦＰＣである。アクチュエータ３０２は基端部側に形成した窓孔３０４に端子３０１の係合片３０５を挿入、係止させることで回動可能とされている。
【０００４】
図示のように、アクチュエータ３０２を絶縁ハウジング３００上に起立させた状態で、ＦＰＣ３０３を挿入口３０６から後方に向けて挿入し、端子３０１の接点３０７とアクチュエータ３０２に形成されたカム軸３０８の間に配置するようにされている。ＦＰＣ３０３を挿入した後、アクチュエータ３０２を挿入口３０６側の前方へ回動させて絶縁ハウジング３００上で伏せた状態にすると、断面長円形状のカム軸３０８もアクチュエータ３０２と共に回動してＦＰＣ３０３を接点３０７側に押圧し、端子３０１の接点３０７とＦＰＣ３０３の接点パッドが所定の接圧で圧接、係合するようにされている。この接続状態では、アクチュエータ３０２はＦＰＣ３０３の上側に略平行となって、ＦＰＣ３０３を覆った状態となっている。
【０００５】
【発明が解決しようとする課題】
前記のように、ＦＰＣを絶縁ハウジングの前方に設けられた挿入口から挿入し、接続時には、アクチュエータが前方に倒されてＦＰＣを覆うようにされる構成とされた電気コネクタには、ＦＰＣが上方に引き回された時に、アクチュエータを起立方向に回動させてしまう恐れがあり、接続状態を不安定とする問題点があった。
また、アクチュエータと端子の係合片を係合させるために、係合片の先端部下縁に凹弧状部分を形成し、ここにアクチュエータの窓孔の孔縁部分（図１５の例ではカム軸３０８）が収まるようにしていたので、アクチュエータを絶縁ハウジングに組み付ける際に、係合片を弾性変形させながら端子の係合片にアクチュエータの窓孔を嵌装する必要があるなど、組み付け時の作業が複雑であり、能率の良い製造を妨げていた。
【０００６】
この発明は斯かる問題点に鑑みてなされたもので、ＦＰＣの引き回しによってアクチュエータが、接続状態を開放する方向へ回動する恐れの無い電気コネクタを提供することを目的としている。
また、この発明の他の目的は、絶縁ハウジングへのアクチュエータの挿入組み付けが簡単にできる構造の電気コネクタを提供することにある。
【０００７】
【課題を解決するための手段】
前記の目的のもとになされたこの発明の電気コネクタは、アクチュエータがＦＰＣの上に覆い被さらないようにし、かつ、アクチュエータと端子の係合片とが簡単に嵌装できる構成としている。
【０００８】
即ちこの発明は、絶縁ハウジングと、絶縁ハウジングに所定のピッチで横並びにされた複数の端子と、絶縁ハウジングに挿入された平型柔軟ケーブルの接点パッドと端子の接点を所定の接圧で圧接、係合させるためのアクチュエータとで構成されて、平型柔軟ケーブルが絶縁ハウジングの前部の挿入口から挿入口の後方に配置された前記端子の接点に向けて略水平に挿入して、接点と接点パッドが対向するように構成された電気コネクタにおいて、
前記端子に、前記挿入口に向かって前方に略水平となって片持ち梁状に延びて弾性変形が可能の係合片が設けられ、この係合片の先端に形成した略水平の係合部分が、前記アクチュエータの基端部に形成された窓孔に挿入され、係合部分の下側に窓孔の孔縁部に形成したカム軸が配置されて、アクチュエータの回動のための軸支部が構成されていると共に、
アクチュエータは、絶縁ハウジング上で起立した第１位置と、この第１位置より後方に回動させて、前記接点パッドと接点が圧接、係合する位置より後方へ延びて絶縁ハウジング上で伏せた状態の第２位置の間で回動できるようにされており、
前記係合片の先端の係合部分が略水平の下縁を有していると共に、前記カム軸が、長軸と短軸を有する断面長円形状とされ、
アクチュエータが前記第１位置に回動した時、カム軸はその長軸が略水平となって前記係合部分の略水平の下縁と係合して、平型柔軟ケーブルが挿入口より前記カム軸と端子の接点の間に挿入可能とされ、また、アクチュエータが前記第２位置に回動した時、カム軸は係合片を弾性変形させながらその長軸が垂直の状態を越えて係合片の反力がアクチュエータを第２位置に向かう方向に付勢する位置までアクチュエータと共に回動して位置を変え、そして、係合片の反力がカム軸を介して平型柔軟ケーブルを端子の接点に押圧するようにしたことを特徴とする電気コネクタである。
【０００９】
前記のような構成において、特に、前記アクチュエータが第２位置に位置した時のカム軸の作用長さに対して、アクチュエータが第１位置にある時の作用長さを短く構成するのが、電気コネクタの低背化を図る点で有利である。更に、絶縁ハウジングは、挿入口の側部に平形柔軟ケーブルの側縁部上面と係合する爪部が設けられている構成として、平形柔軟ケーブルの引き回しを制限するようにしても良い。また、アクチュエータは、基部側縁にロック突部が設けられ、アクチュエータが前記第２位置に回動する時、ロック突部が絶縁ハウジング側に設けたロック部の下側にもぐり込むようにされた構成として、カム軸が設けられているアクチュエータの基部側の浮上りを防止するようにしても良い。
【００１０】
【作用】
このように構成されるこの発明の電気コネクタによれば、アクチュエータは、基端部が端子に設けられた係合片と係合して回動可能とされて、絶縁ハウジング上で起立した状態の第１位置と、この第１位置より後方に回動させて、接点パッドと接点が圧接、係合する位置より後方へ延びて絶縁ハウジング上で伏せた状態の第２位置との間で回動できるようにされている構成であるので、接続状態の時に平型柔軟ケーブルの、端子との圧接、係合部分より前方に連続する部分の上側にアクチュエータが覆い被さる従来の構成とは異なり、平型柔軟ケーブルの引き回しによってアクチュエータが回動力を受けることを防ぐことができる。
【００１１】
また、アクチュエータと端子の係合部は、前記挿入口の方向に略水平となって片持ち梁状に延びる係合片の先端部の係合部分が、アクチュエータの基端部に形成された窓孔に挿入され、係合部分の略水平の下縁に窓孔の孔縁部に形成したカム軸が配置された構成とされているので、アクチュエータの組み付けが、係合片の先端部に対してアクチュエータの窓孔を対向させた状態で、アクチュエータを平形柔軟ケーブルの挿入方向に移動するだけでよく、簡単に組付けを完了することができる。
【００１２】
【発明の実施の形態】
以下、この発明の実施形態を添付の図を参照して説明する。
【００１３】
図１〜図８に示したものは、第１の実施形態の電気コネクタ１である。この電気コネクタ１は耐熱製樹脂を成形してなる絶縁ハウジング２と、この絶縁ハウジング２に所定のピッチで横並びに装着された複数の端子３と、耐熱製樹脂を成形してなるアクチュエータ４とで構成されている。アクチュエータ４は、図１、２、３に示したように絶縁ハウジング２上で起立した状態の第１位置と、図４、５、６、７に示したように絶縁ハウジング３上で伏せた状態の第２位置の間で回動可能とされている。アクチュエータ４が第１位置から第２位置へ位置を変える時は、図１において左方を前方として、後方に回動させるようになっている。
【００１４】
図１、２および図６に表れている符号５は平形柔軟ケーブル（ＦＰＣ）で、絶縁ハウジング２の前部の挿入口６から絶縁ハウジング２の内部へ後方に向かって略水平に挿入できるようにされている。図のように、ＦＰＣ５を挿入する時は、アクチュエータ４が第１位置に位置設定される。そして、ＦＰＣ５を挿入した後、アクチュエータ４を後方に回動して第２位置にするとＦＰＣ５の接続が完了するようにされている。
【００１５】
前記端子３は、薄金属板を打ち抜いて形成されているもので、図１、６に表れているように、絶縁ハウジング２の底部に沿って延びるようにしたコンタクト片７を有し、このコンタクト片７の後方端に連続させた装着部分８が絶縁ハウジング２の後部に形成された装着部９に挿入係止されて装着状態が維持されるようになっている。コンタクト片７の中間部上縁には、挿入されたＦＰＣ５の下面に設けられた接点パッド５ａと対向するように接点１０が突起状に形成してある。コンタクト片７の前端部は、横Ｌ字形の半田テイル部分１１に形成されて絶縁ハウジング２の挿入口６の近くで、絶縁ハウジング２の底面と略面一となるようにされて、プリント回路基板（図示せず）などの表面に表面半田付けができるようにされている。
【００１６】
また、コンタクト片７と装着部分８が連続する部分の上縁から、横Ｌ字状に係合片１２が連続しており、絶縁ハウジング２の挿入口６の方向に延びている。この係合片１２は、前記コンタクト片７と略平行となって延びる片持ち梁を構成して、弾性変形が可能となっている。係合片１２の先端部には、前方に向って斜め上方に延びる連続部分１３を介してコンタクト片７に略平行の係合部分１４が設けられている。この係合部分１４もコンタクト辺７と略平行となっており、略水平の下縁がコンタクト片７の上縁に形成した前記接点１０と対向するようにしてある。
【００１７】
アクチュエータ４が前記第１位置と第２位置の間で回動可能となるために、アクチュエータ４の基端部と係合片１２の係合部分１４を係合させている。即ち、アクチュエータ４の基端部には、各端子３の係合片１２と１対１で対応するように窓孔１５が形成されて、この窓孔１５に前記係合部分１４が嵌装されてアクチュエータ４が回動可能となるように係合している。窓孔１５を画成している孔縁部のうち、アクチュエータ４の基端縁側に位置する部分が断面長円形状のカム軸１６で構成され、回動するアクチュエータ４の軸支部となっている。カム軸１６は、アクチュエータ４が第１位置に立上った時に、その長軸Ｌ１（図７）が略水平となるような方向としてある。また、カム軸１６の短軸Ｌ２（図７）の長さは、前記コンタクト片７とこのカム軸１６との間にＦＰＣ５の厚さに略等しい間隔が確保できるように設定されている。
【００１８】
アクチュエータ４の基端部と対向する他端部の両側には、図２〜図５に表れているように、垂下壁１７が設けられている。そして、この垂下壁１７の下端内面にフック１８が形成してある。これは、アクチュエータ４を図４〜図６のように絶縁ハウジング２上で伏せた第２位置に回動した時には、垂下壁１７が絶縁ハウジング２の後部側面の外側に位置して、フック１８が後部側面に形成した段部１９(図２、３)と係合するようにしたものである。
【００１９】
以上のように構成された電気コネクタ１において、端子３が装着された絶縁ハウジング２にアクチュエータ４を組み付けるには、図１から明瞭に理解できるように、アクチュエータ４を第１位置で採る傾斜姿勢で、窓孔１５と端子３の係合片１２に形成した係合部分１４を対向させ、アクチュエータ４をそのまま後方に水平移動させるだけで簡単に組み付けることができる。カム軸１６が係合片１２の先端部に設けられている連続部分１３に当たるまでアクチュエータ４を水平移動させると、係合部分１４が窓孔１５と互いに嵌挿し、カム軸１６が係合部分１４の下側に、その長軸Ｌ１を略水平として収まる。略水平となっている係合部分１４の下縁が略水平のカム軸を案内するので、アクチュエータ４の水平移動が円滑に進行し、しかも、係合片１２を組み付けのために弾性変形させる必要は一切なく能率の良い組み付けが可能である。
【００２０】
次に、ＦＰＣ５の接続について説明する。接続は、ＦＰＣ５の挿入とアクチュエータ４の回動によって行われる。先ず、アクチュエータ４を第１位置として、ＦＰＣ５を挿入口６から絶縁ハウジング２内に略水平に挿入する（図１）。端子３のコンタクト片７とアクチュエータ４のカム軸１６（長軸Ｌ１が略水平となっている）の間にはＦＰＣ５の厚さに略等しい間隔が確保されているので、ＦＰＣ５は挿入に対する抵抗を受けることなく、いわゆるゼロ挿入力（ＺＩＦ）で挿入することができる。
【００２１】
ＦＰＣ５を挿入した後、次ぎにアクチュエータ４を後方へ向けて第２位置まで回動させる（図６）。アクチュエータ４を回動させると、カム軸１６もアクチュエータ４と共に回動することになる。このカム軸１６の回動の様子を示したのが図７である。実線で示した係合片１２およびカム軸１６は、アクチュエータ４が第１位置の時の状態である。アクチュエータ４を第２位置に回動させると、カム軸１６は鎖線で示したように垂直の状態を越えて回動し、係合片１２を鎖線図示のように上方に弾性変形させる。この結果、係合片１２の反力がカム軸１６に作用するので、ＦＰＣ５がコンタクト片７側に付勢されて、ＦＰＣ５の接点パッド５ａとコンタクト片７の接点１０が所定の接圧で圧接、係合することとなり、ＦＰＣ５と端子３の接続が形成される。
【００２２】
図６に示されているように、アクチュエータ４を第２位置に回動させて接続を完了した状態では、アクチュエータ４は、接点パッド５ａと接点１０が圧接、係合した位置より後方に延びて絶縁ハウジング２の後部側の上方で伏せた状態にあり、接点パッド５ａと接点１０の圧接、係合部分より前方に連続しているＦＰＣ５の上側に覆い被さるようにはならない。このため、ＦＰＣ５が引き回されたとしても、アクチュエータ４を回動させるような事態は起こらないようにでき、接続状態を安全に維持することができる。
【００２３】
更に、この実施形態では、挿入口６の両側部に爪部２０が突出させてあり、ＦＰＣ５の両側縁部上面に係合するようにされている（図２）。したがって、ＦＰＣ５が引き回されたとしても、絶縁ハウジング２内に挿入された部分には引き回しによる力が及ばないようにでき、接続状態の維持を一層確実にできるようにされている。
【００２４】
接続状態を解除するには、アクチュエータ４を第２位置より第１位置の方向へ回動させる力を加える必要があるが、アクチュエータ４を直接操作する以外にはそのような力がかからないようになっている。即ち、カム軸１６が図７に鎖線で示したように垂直の状態を越えて回動して位置を変えた状態では、係合片１２の反力が作用して生ずる回転モーメントは第１位置から第２位置に向かう回転方向であり、アクチュエータ４をその方向に付勢するからである。また、アクチュエータ４を第２位置に回動すると、アクチュエータ４に設けた垂下壁１７のフック１８が絶縁ハウジング２の段部１９と係合するので、振動などによって作用する僅かな力では係合が外れることがなく、接続状態を確実に維持することができる。
【００２５】
図７に示されるように、この電気コネクタ１では、アクチュエータ４が第２位置に位置して、カム軸１６が係合片１２にカム作用を及ぼしている作用長さＤに対して、アクチュエータ４が第１位置にある時のカム軸１６の作用長さ、即ち短軸Ｌ２の長さが短くされている。このような構成は電気コネクタ１全体の低背化に寄与することができるものである。
【００２６】
前記アクチュエータ４の基端部の両側縁には、図２、８に示したように、絶縁ハウジング２の側部上面を開口して形成されたロック部２１の下側にもぐり込むようにしたロック突部２２が設けてある。アクチュエータ４を第２位置へ回動させた時には、このロック突部２２がロック部２１の下にもぐり込んでロック部２１と係合する。このため、アクチュエータ４が第２位置にある時には、カム軸１６を設けたアクチュエータ４の基端部が上方に浮き上がるのを防止している。したがって、端子３の接点１０とＦＰＣ５の接点パッド５ａの接圧が不足するような恐れがなく、信頼性の高い電気的接続状態を形成することができる。
【００２７】
次に、図９〜図１４を参照して第２の実施形態の電気コネクタ３１について説明する。前記の第１の実施形態の電気コネクタ１と同様に構成された部分には、同様の符号を付して詳細な説明は省略することとする。
【００２８】
この電気コネクタ３１は、端子３３の形状が異なっている。即ち、絶縁ハウジング２の底部に沿って延びるコンタクト片７が片持ち梁状とされ、後部の装着部分８の後方に半田テイル部分１１が連続しており、絶縁ハウジング２の後方に突出して並ぶようにされている。係合片１２は、コンタクト片７の装着部分８と半田テイル部分１１の連続する部分から横Ｌ字状となってコンタクト片７と略平行となって延びている。
【００２９】
アクチュエータ４は、第１の実施形態と同様で、図９、１０に示したように、絶縁ハウジング２上で立上った状態の第１位置と、図１１、１２に示したように、第１位置より後方へ回動させて絶縁ハウジング２上で伏せた状態の第２位置の間で回動可能とされている。第１位置は、ＦＰＣ５を挿入可能とする位置であり、第２位置は、ＦＰＣ５と端子３３が接続される位置である。
【００３０】
アクチュエータ４を回動可能とする、アクチュエータ４と端子３３の係合片１２の係合構造は第１の実施形態と同様に構成されている。アクチュエータ４の基端縁と対向する他端縁側の両側面には、係合突部４０が設けてあり、アクチュエータ４を第２位置に回動させると、絶縁ハウジング２の両側に形成した側壁４１のフック４２に係合して、アクチュエータ２が第２位置で保持されるようにされている。
【００３１】
また、アクチュエータ４の基端部両側には、図１３、１４に示したように、前記と同様にロック突部５２が設けてある。このロック突部５２は、アクチュエータ４を回動させた時に、絶縁ハウジング２に固着した補強金具４３を延長して形成したロック部５１の下にもぐり込み、第２位置にあるアクチュエータ４の基端部側が浮き上がらないようにしてある。
【００３２】
この実施形態の電気コネクタ３１も、図１２に表れているように、アクチュエータ４は挿入口６の後方へ回動させて、接点パッド５ａと接点１０が圧接、係合する位置より前方に連続しているＦＰＣ５には覆い被さらない状態で接続状態が形成される。したがって、ＦＰＣ５の引き回しによって接続状態が不安定となるのを防止することができる。
【００３３】
また、アクチュエータ４と端子３３の係合片１２の係合構造は、第１の実施形態と同一構造であるので、アクチュエータ４の絶縁ハウジング２への組み付けを簡単にでき、能率の良い組み立てを可能にすることができる。
【００３４】
アクチュエータ４を第２位置へ回動させた接続状態が、安全、確実に維持されて、信頼性の高い電気的接続を可能とする点も第１の実施形態と同様である。
【００３５】
【発明の効果】
以上に説明の通り、この発明によれば、アクチュエータは、ＦＰＣが挿入される挿入口の後方へ回動させて、ＦＰＣには覆い被さらない状態で接続状態を形成できるようにしたので、接続したＦＰＣの引き回しによってアクチュエータが接続を解除する方向へ回動させられる恐れがなく、接続状態を安全に保持できる電気コネクタを提供することができる。
また、端子の係合片とアクチュエータとを係合させて、アクチュエータを回動可能とする構造は、係合片の先端に略水平に延びる係合部分の下縁にアクチュエータの窓孔の孔縁部で構成されるカム軸を配置した構成としたので、窓孔と係合片の係合部分を対向させて、アクチュエータを水平移動させるだけで係合構造が形成でき、係合片を弾性変形させるような面倒な作業を不要にすることができる。この結果、絶縁ハウジングへアクチュエータを組み付ける作業が簡単であり、電気コネクタの製造を能率良くできる効果がある。
【００３６】
請求項２の発明によれば、アクチュエータが第２位置に位置した時のカム軸の作用長さに対して、アクチュエータが第１位置にある時の作用長さを短くされるので、電気コネクタの低背化の効果を更に得ることができる。
【図面の簡単な説明】
【図１】この発明の第１の実施形態の電気コネクタの、アクチュエータを第１位置にしてＦＰＣを挿入した状態の、端子に沿って示した拡大断面図である。
【図２】同じく、アクチュエータを第１位置にしてＦＰＣを挿入した状態の斜視図である。
【図３】同じく、アクチュエータを第１位置にしてＦＰＣが未だ挿入されていない状態の斜視図である。
【図４】第１の実施形態の電気コネクタの、ＦＰＣを挿入することなくアクチュエータを第２位置にした状態の斜視図である。
【図５】図４と同様の下方斜視図である。
【図６】第１の実施形態の電気コネクタの、ＦＰＣを挿入してアクチュエータを第２位置にした状態の、端子に沿って示した拡大断面図である。
【図７】図１および図６に示したＡ部の拡大断面図である。
【図８】第１の実施形態の電気コネクタの、アクチュエータの側部に沿って示した拡大断面図である。
【図９】この発明の第２の実施形態の電気コネクタの、アクチュエータが第１位置にある状態の斜視図である。
【図１０】同じく、アクチュエータが第１位置にある状態の、端子に沿って示した拡大断面図である。
【図１１】第２の実施形態の電気コネクタの、ＦＰＣを挿入してアクチュエータを第２位置に回動させた状態の斜視図である。
【図１２】同じく、ＦＰＣを挿入してアクチュエータを第２位置に回動させた状態の、端子に沿って示した拡大断面図である。
【図１３】第２の実施形態の、アクチュエータが第１位置にある状態の、アクチュエータの側部に沿って示した拡大断面図である。
【図１４】第２の実施形態の、アクチュエータが第２位置にある状態の、アクチュエータの側部に沿って示した拡大断面図である。
【図１５】従来の電気コネクタの構造を示す断面図である。
【符号の説明】
１、３１        電気コネクタ
２              絶縁ハウジング
３、３３        端子
４              アクチュエータ
５              平形柔軟ケーブル（ＦＰＣ）
５ａ            接点パッド
６              挿入口
１０            接点
１２            係合片
１４            係合部分
１５            窓孔
１６            カム軸
２０            爪部
２１、５１      ロック部
２２、５２      ロック突部
【図１】
0003565171.tif 000002
【図２】
0003565171.tif 000003
【図３】
0003565171.tif 000004
【図４】
0003565171.tif 000005
【図５】
0003565171.tif 000006
【図６】
0003565171.tif 000007
【図７】
0003565171.tif 000008
【図８】
0003565171.tif 000009
【図９】
0003565171.tif 000010
【図１０】
0003565171.tif 000011
【図１１】
0003565171.tif 000012
【図１２】
0003565171.tif 000013
【図１３】
0003565171.tif 000014
【図１４】
0003565171.tif 000015
【図１５】
0003565171.tif 000016